(57)【要約】【課題】一対のノックを立体的なものとし、且つ、一対のノックに形態上の関わり合いを持たせることにより、変化に富んだ一層面白味のある趣向性に富んだデザインとすることが可能で、消費者の興味を引いてその需要を喚起し得るノック式ペンを提供することを課題とする。【解決手段】一対のノックはそれぞれ、下端に芯２が嵌め付けられてスプリングの作用で常時上方に付勢されるノック本体４と、ノック本体４に組み付けられて組立時に軸筒１から立体的に大きく張り出す指掛部とから成り、指掛部は、ノック本体４に組み付けられる係止部材８と、係止部材８を挟んで一体化される表面構成部材９及び裏面構成部材１０とから成り、表面構成部材９と表面構成部材１０とが組み合わさって、何らかの形状を表現する。【選択図】図３
2018039172.tif 000002
【特許請求の範囲】
【請求項１】
一対のノックのうちのいずれか一方のノックの押下操作によって下端から芯を選択的に出没させるタイプのペンであって、
前記ノックはそれぞれ、下端に芯が嵌め付けられてスプリングの作用で常時上方に付勢されるノック本体と、前記ノック本体に組み付けられて組立時に軸筒から立体的に大きく張り出す指掛部とから成り、
前記指掛部は、前記ノック本体に組み付けられる係止部材と、前記係止部材を挟んで一体化される表面構成部材及び裏面構成部材とから成り、
一方の前記ノックの前記表面構成部材と他方の前記ノックの前記表面構成部材とが組み合わさって、何らかの形状を表現することを特徴とするノック式ペン。
【請求項２】
前記表面構成部材の内面に２つの受入筒が形成され、前記裏面構成部材の内面に前記受入筒に対応する挿入杆が突設され、更に、前記係止部材に、前記挿入杆を挿通させるための挿通孔が穿設される、請求項１に記載のノック式ペン。
【請求項３】
前記ノックの非押下操作時において前記一対の表面構成部材が、リボン形状、あるいは、動物又はキャラクターの顔を表現する、請求項１又は２に記載のノック式ペン。
【請求項４】
軸筒の上部に、一方の前記ノックの押下に伴って現われ出るように、図柄又は文字が表現される、請求項１乃至３のいずれかに記載のノック式ペン。
【請求項５】
現われ出る前記図柄又は文字は、非押下状態にある他方の前記ノックの形態又はそこから発現される意味合いと関連性を有するものとされる、請求項４に記載のノック式ペン。
【発明の詳細な説明】
【技術分野】
【０００１】
本発明はノック式ペン、より詳細には、一部（指掛部）が軸筒上側部から突出するノックを操作することによって、所望の色の芯を軸筒先端から出没させるタイプのノック式ペンに関するものである。
【背景技術】
【０００２】
上記タイプのノック式ペン（例えば、黒と赤の２色ボールペン）は、種々のデザインにて広く出回っている。そこにおける一対のノックは、下端に芯が嵌め付けられ、芯の上部に巻装される押上スプリングによって常時上方に付勢されるノック本体の上部に組み付けられる。
【０００３】
本願出願人は先に、上記機構のノック式ペンにおいて、一対のノックの指掛部を大きくして動物やキャラクター等の耳やカエルの目等に見立て、軸筒の上端部に当該動物やキャラクター等の顔をあしらったデザインの製品を企画し、市場において好評を博している。その製品においては、押下操作時に指掛部に斜め外方向の力が加わっても、ノックがノック本体から脱落するおそれのない組み付け構造が採用されている（特許文献１：特許第５０６４３２０号公報、特許文献２：特許第５８０２３６５号公報）。
【０００４】
上記ノック式ペンの場合は、一対のノックを大きくして動物やキャラクター等の耳やカエルの目等に見立ててその面白さを狙ったものであるが、その場合の一対のノックは、単に側方に張り出す表面が平坦なものであり、また、一対のノックは左右に分離されていることもあって、面白さ、趣向性の追求に限界があった。
【先行技術文献】
【特許文献】
【０００５】
【特許文献１】特許第５０６４３２０号公報
【特許文献２】特許第５８０２３６５号公報
【発明の概要】
【発明が解決しようとする課題】
【０００６】
上述したように、上記一対のノックを大きくして動物やキャラクター等の耳やカエルの目等に見立てたデザインのノック式ペンの場合は、一対のノックは単に側方に張り出す表面が平坦なものであり、また、その一対のノックは左右に分離されていることもあって、面白さ、趣向性の追求に限界があった。
【０００７】
そこで本発明は、一対のノック（指掛部）を立体的なものとし、且つ、一対のノック（指掛部）に形態上の関わり合いを持たせることにより、変化に富んだ一層面白味のある趣向性に富んだデザインとすることが可能で、消費者の興味を引いてその需要を喚起し得るノック式ペンを提供することを課題とする。
【課題を解決するための手段】
【０００８】
上記課題を解決するための請求項１に記載の発明は、一対のノックのうちのいずれか一方のノックの押下操作によって下端から芯を選択的に出没させるタイプのペンであって、
前記ノックはそれぞれ、下端に芯が嵌め付けられてスプリングの作用で常時上方に付勢されるノック本体と、前記ノック本体に組み付けられて組立時に軸筒から立体的に大きく張り出す指掛部とから成り、
前記指掛部は、前記ノック本体に組み付けられる係止部材と、前記係止部材を挟んで一体化される表面構成部材及び裏面構成部材とから成り、
一方の前記ノックの前記表面構成部材と他方の前記ノックの前記表面構成部材とが組み合わさって、何らかの形状を表現することを特徴とするノック式ペン。
【０００９】
一実施形態においては、前記表面構成部材の内面に２つの受入筒が形成され、前記裏面構成部材の内面に前記受入筒に対応する挿入杆が突設され、更に、前記係止部材に、前記挿入杆を挿通させるための挿通孔が穿設される。
【００１０】
一実施形態においては、前記ノックの非押下操作時において前記一対の表面構成部材が組み合わさって、リボン形状、あるいは、動物又はキャラクターの顔が表現される。また、軸筒の上部に、一方の前記ノックの押下に伴って現われ出るように、図柄又は文字が表現される。そして、その場合、現われ出る前記図柄又は文字は、非押下状態にある他方の前記ノックの形態又はそこから発現される意味合いと関連性を有するものとされる。
【発明の効果】
【００１１】
本発明は上述したとおりであって、一対の指掛部が立体的なものとされ、且つ、一対の指掛部が形態上の関わり合いを有しているので、一対の指掛部で以て、従来にない変化に富んだ面白味、趣向性のあるデザインとすることが可能で、消費者の興味を引いてその需要を喚起し得る効果がある。
【００１２】
また、請求項３に記載の発明の場合は更に、指掛部の形態と軸筒の上部に表現される図柄又は文字との関係性において、何らかの意味合いが想起されることにより、面白味や趣向性が一層助長される効果がある。
【図面の簡単な説明】
【００１３】
【図１】本発明に係るノック式ペンの一実施形態の全体外観図（一方のノックの押下時）である。
【図２】本発明に係るノック式ペンの一実施形態の要部の斜視図である。
【図３】本発明に係るノック式ペンの一実施形態の要部の分解斜視図である。
【発明を実施するための形態】
【００１４】
本発明を実施するための形態について、添付図面に依拠して説明する。図示した本発明に係るノック式ペンは、色の異なる２本の芯２のうちの１本を選択して出没させるタイプのもので、一般のこの種タイプのものと同様に、軸筒１と、軸筒１の先端から出没する２種類の芯２と、芯２の繰出し操作をする一対のノック３，３ａとを備えて構成される。
【００１５】
ノック３，３ａはそれぞれ、下端に芯２が嵌め付けられてスプリング６の作用で常時上方に付勢されるノック本体４と、ノック本体４に組み付けられて組立時に軸筒１から立体的に大きく張り出す指掛部７、７ａとから成る。上記従来のノック式ペンにおける指掛部は、単に側方に平板状に張り出すに過ぎないものであるが、本発明における指掛部７、７ａは、軸筒１の側面から前面の一半部にかけて覆い得る、大きくて立体的な形状のものである。
【００１６】
指掛部７、７ａは、ノック本体４に組み付けられる係止部材８と、表面構成部材９と裏面構成部材１０の３部品から構成され、表面構成部材９と裏面構成部材１０は係止部材８を挟んで一体化される。そのために表面構成部材９の内面に、例えば２つの受入筒１１が形成され、裏面構成部材１０の内面に、受入筒１１に対応する挿入杆１２が突設される。また、係止部材８には、挿入杆１２を挿通させるための挿通孔１３が穿設される。なお、上記とは逆に、表面構成部材９の内面に挿入杆１２を突設し、裏面構成部材１０の内面に、挿入杆１２に対応する受入筒１１を設けることとしてもよい。
【００１７】
この３部品から成る指掛部７、７ａは、裏面構成部材１０の挿入杆１２を係止部材８の挿通孔１３に挿通し、その先端部を表面構成部材９の受入筒１１に挿入することによって形成される。そして、その組立状態において、１つの立体的形状の一半部が形作られる。
【００１８】
図示した例においては、一方の指掛部７が立体形状のリボンの一半部を構成し、他方の指掛部７ａがその他半部を構成し、芯２を引っ込めた状態において、指掛部７と指掛部７ａとで立体形状のリボンが形作られる。図１には、一方のノック３が押下された状態が実線で示されており、この状態においてはリボンの一半部と他半部がずれることになる。表面構成部材９と裏面構成部材１０は他の任意の形状とすることができ、例えば、動物やキャラクターの顔等の立体的形状を作出することができる。
【００１９】
係止部材８は、挿通孔１３が穿設される基板１４と、その一端部に形成されて、ノック本体４に設けられる係合用開口２０内に係合される係止部１５とで構成される。係止部１５は、通例、その中程が断面Ｖ字状に抉られることにより、上下方向に若干弾性を有するものとされる。また、係止部１５の上面端縁に上方に突き出る上方引掛り部１６が形成されると共に、その下面端縁に下方に突き出る下方引掛り部１７が形成され、更に上部に、ノック本体４に形成される支持孔に嵌入する突子１８が突設される。
【００２０】
かかる構成の一対のノック３，３ａは、芯２を備えた状態で従来のものと同様にして軸筒１内に組み込まれ、その状態においてノック本体４が、軸筒１の上側部に形成されるスリットに沿って上下動し、下降端においてロックされることになる。このノック３，３ａの押下げによる芯２の出没機構やノック３，３ａのロック機構は、一般のものと特に変わりはないので、詳細な説明を省略する。
【００２１】
一実施形態においては、軸筒１の上部に、一方のノック３，３ａの押下に伴って現われ出るように、図柄又は文字が表現される。その場合、好ましくは、現われ出る図柄又は文字は、一方又は双方のノック３，３ａの形態又はそこから発現される意味合いと関連性を有するものとされる。例えば、ノック３，３ａによってトラが表現される場合に、Ｔｉｇｅｒの文字を表記する。
【００２２】
本発明に係るノック式ペンは上記のとおりであり、一対の指掛部７、７ａで以て、動物やキャラクターの顔、その他の立体形状を表現することができ、単なる筆記目的としてだけでなく、趣向性及び変化に富んだ、一種のファンショングッズとして受け入れられるものであり、産業上の利用性は大である。
【符号の説明】
【００２３】
１          軸筒
２          芯
３，３ａ    ノック
４          ノック本体
５          係止部材
６          押上スプリング
７、７ａ    指掛部
８          係止部
９          表面構成部材
１０        裏面構成部材
１３        挿通孔
１４        基板
１５        係止部
１６        上方引掛り部
１７        下方引掛り部
１８        突子
２０        係合用開口
【図１】
2018039172.tif 000003
【図２】
2018039172.tif 000004
【図３】
2018039172.tif 000005